(57)【特許請求の範囲】
【請求項１】
支柱と、支柱の上部に構築される下梁と頂上梁と斜梁とから成る屋根部の骨組と、この骨組上に被せられて下り勾配の斜面を有する天幕とから成るテント装置であって、前記下梁よりも上方位置の前記斜面の裏面にひも状体の上端部を取り付け、このひも状体を前記下梁の上部側面に沿って周回させ、このひも状体に設けられた係止部を前記下梁に設けられた被係止部に着脱自在に係止することを特徴とするテント装置。
【請求項２】
前記係止部を前記被係止部に係止した状態における前記ひも状体の下端余剰部を前記下梁から下方へ垂下させて前記下梁からの天幕取りはずし用保持部としたことを特徴とする請求項１記載のテント装置。
【請求項３】
前記係止部が前記ひも状体に設けられた面ファスナーであり、また前記被係止部が前記下梁の周面に設けられた面ファスナーであることを特徴とする請求項１または２記載のテント装置。
【発明の詳細な説明】
【技術分野】
【０００１】
本発明は、学校の運動会場や各種のイベント会場等に構築されるテント装置に関するものである。
【背景技術】
【０００２】
図６は、学校の運動会場や各種のイベント会場等に構築される従来のテント装置の断面斜視図、図７（ａ）、（ｂ）は同天幕の固定方法を示す縦梁付近の部分断面図である。
【０００３】
図６において、テント装置は、垂直な支柱１の上部に横梁２、縦梁３、頂上梁４、縦梁３と頂上梁４を連結する斜梁５（これらの梁は、いずれも一般に金属パイプ製）等で屋根部の骨組を構築し、この骨組上に天幕６を被せて組立てられている。
【０００４】
図７（ａ）、（ｂ）は、天幕６を縦梁３に固定する方法を示している。図７（ａ）において、天幕６の側縁部の縦梁３よりも上方位置の下り勾配の斜面の裏面には、２本のひも７、８の上端部がミシン糸１５等により固着されている。縦梁３上に天幕６を固定するに際しては、図７（ｂ）に示すように、ひも７、８を縦梁３のそれぞれ上面（外面）側と下面（内面）側に沿わせて巻きつけ、縦梁３から下方へ垂下する両ひも７、８の下端部を結び付けることにより、天幕６を縦梁３に固定していた。９はひも７、８の結び目である。
【発明の開示】
【発明が解決しようとする課題】
【０００５】
上記従来のテント装置では、作業者はひも７、８を下方へ強く引いて両者を下梁である縦梁３に結び付けている。したがって結び付け時には、ひも７、８にはそれぞれ斜め下方および下方への引張力Ｆ１、Ｆ２が生じるが、この引張力Ｆ１、Ｆ２のために（特に、ひも８の下方への引張力Ｆ２のために）、頂上梁４から縦梁３へ向う下り勾配の天幕６の斜面は下側へわん曲し、図６に示すように斜梁５、５間の側縁部には下方への窪みＭが生じていた。
【０００６】
この窪みＭは、単にテント装置の外観を悪くするだけでなく、降雨があると、天幕６上の雨水はこの窪みＭへ流下（矢印ａ）して、図７（ｂ）において鎖線で示すように窪みＭに貯留し、貯留した雨水Ｗの重みで天幕固定用のひも７、８が切れ、雨水Ｗが一気に流れ落ちるおそれがあったものである。
【０００７】
そこで本発明は、組み立て時に天幕の下り勾配の斜面の側縁部に上記のような窪みが生じることのないテント装置を提供することを目的とする。
【課題を解決するための手段】
【０００８】
本発明のテント装置は、支柱と、支柱の上部に構築される下梁と頂上梁と斜梁とから成る屋根部の骨組と、この骨組上に被せられて下り勾配の斜面を有する天幕とから成るテント装置であって、前記下梁よりも上方位置の前記斜面の裏面にひも状体の上端部を取り付け、このひも状体を前記下梁の上部側面に沿って周回させ、このひも状体に設けられた係止部を前記下梁に設けられた被係止部に着脱自在に係止するものである。
【０００９】
また望ましくは、前記係止部を前記被係止部に係止した状態における前記ひも状体の下端余剰部を前記下梁から下方へ垂下させて前記下梁からの天幕取りはずし用保持部としたものである。
【００１０】
また望ましくは、前記係止部を前記ひも状体に設けられた面ファスナーとし、また前記被係止部を前記下梁の周面に設けられた面ファスナーとしたものである。
【発明の効果】
【００１１】
上記構成において、テント装置を組み立てるときは、天幕を屋根部の骨組上に被せ、ひも状体を下梁の上部側面に沿わせて下梁に周回させ、ひも状体の下端部を手に保持して下梁に巻き付け、あるいは当てがうようにするなどして、係止部を被係止部に係止する。この場合、天幕はひも状体により斜下方へ引張されるが、この引張方向は天幕の下り勾配の斜面の斜設方向と一致しており、前記従来のテント装置の下側のひも状体８に相当するものは無いので、天幕の斜面の側縁部には従来のような窪みＭは生じず、天幕はその全体がストレートな外観の良い斜面となる。したがって降雨は天幕の斜面上をストレートに流下して排水され、前述のような窪みＭに貯留することはない。また下梁から垂下するひも状体の下端余剰部を手に保持して下方へ引くなどして操作すれば、天幕を下梁から容易に取りはずして分解回収することができる。
【発明を実施するための最良の形態】
【００１２】
（実施の形態１）
図１は本願発明の実施の形態１におけるテント装置の斜視図、図２は図１のＡ−Ａ断面斜視図、図３（ａ）、（ｂ）は同天幕の固定方法を示す縦梁付近の部分断面図である。以下の各実施の形態において、図６、図７に示す従来のテント装置の要素と同一要素には同一符号を付している。また屋根部の骨組などの骨組構造は簡略に示している。
【００１３】
図１、図２において、テント装置は、垂直な支柱１の上部に横梁２、縦梁３、頂上梁４、縦梁３と頂上梁４を連結する斜梁５等で屋根部の骨組を構築し、この骨組上に天幕６を被せて組立てられている。天幕６は、頂上梁４から縦梁３へ向って下り勾配の斜面となっている。横梁２と縦梁３を、屋根部の下梁という。
【００１４】
図３（ａ）において、天幕６の斜面の側端部（縦梁３のやや上方）の裏面には、ミシン糸１５などの固着手段によりひも状体１１の上端部が固着されている。ひも状体１１としてはベルトなどが望ましい。またひも状体１１は、リュックサックの肩掛け用ベルトやハンドバックの保持用ベルト等で多用されている長さ調整自在な方式のベルトを採用してもよい。ひも状体１１は下梁である縦梁３の上部側面（外面）に沿って周回して下方へ垂下している。
【００１５】
縦梁３から垂下するひも状体１１の内面には係止部としての面ファスナー１２が貼着するなどして設けられている。また縦梁３の周面には被係止部としての面ファスナー１３が貼着するなどして設けられている。したがって作業者は縦梁３から垂下するひも状体１１の下端部を手に保持し、図３（ａ）の矢印ｂに示すようにひも状体１１を引っ張りながら縦梁３に部分的に巻き付け、あるいは当てがうなどすることにより、面ファスナー１２を面ファスナー１３に押し付けて着脱自在に係止することにより、図３（ｂ）に示すように天幕６は屋根部骨組上にしっかり装着される。この場合、ひも状体１１の引張力Ｆの方向は、天幕６の下り勾配の斜面の斜設方向と同一であるから、従来のテント装置のような窪みＭは生じず、天幕６はストレートな斜面を有する外観のよい屋根として構築される。したがって天幕６上に降った雨は、この斜面上をストレートに流下して排水される（矢印ｃ）。なお、天幕６の側面の妻部６ａ（図１を参照）の裏面にもひも状体１１を取り付け、このひも状体１１を下梁である横梁２に上述した縦梁３の場合と同様に巻き付けて、天幕６をよりしっかり屋根部の骨組上に装着するようにしてもよい。
【００１６】
また図３（ｂ）に示す組み立て完成状態において、ひも状体１１の下端部は縦梁３から下方へ垂下している。ひも状体１１の下端余剰部１１ａは、作業者の縦梁３からの天幕取りはずし用保持部になっている。したがってテント装置を分解回収するときには、作業者はこの下端余剰部１１ａを下方に引けば、面ファスナー１２は面ファスナー１３から簡単に分離する。したがって天幕６は縦梁３から容易に取りはずされ、テント装置の分解回収作業を容易・迅速に行うことができる。
【００１７】
（実施の形態２）
図４（ａ）、（ｂ）は、本発明の実施の形態２における天幕の固定方法を示す縦梁付近の部分断面図である。
【００１８】
図４（ａ）において、天幕６の斜面の側端部（縦梁３のやや上方）の裏面には、ミシン糸１５などの固着手段によりひも状体２１の上端部が固着されている。ひも状体２１には係止部としての孔部２２が任意個数（本例では１個）形成されている。また縦梁３には被係止部としてのピン若しくはビス２３が突設されている。したがって作業者は縦梁３から垂下するひも状体２１の下端部を手に保持し、図４（ａ）の矢印ｂに示すようにひも状体２１を引っ張りながら孔部２２をビス２３に着脱自在に係止することにより、図４（ｂ）に示すように天幕６は屋根部の骨組上にしっかり装着される。この場合も、実施の形態１と同様に、分解回収作業のための下端余剰部２１ａが縦梁３から下方へ垂下している。したがって実施の形態２も、実施の形態１と同様の作用効果が得られる。
【００１９】
（実施の形態３）
図５（ａ）、（ｂ）は、本発明の実施の形態３における天幕の固定方法を示す縦梁付近の部分断面図である。
【００２０】
図５（ａ）において、天幕６の斜面の側端部（縦梁３のやや上方）の裏面には、ミシン糸１５などの固着手段によりひも状体３１の上端部が固着されている。ひも状体３１には、係止部としてのカギ形のフック３２がピッチをおいて任意個数（本例では複数３個）設けられている。また縦梁３には被係止部としての孔部３３が形成されている。したがって作業者は縦梁３から垂下するひも状体３１の下端部を手に保持し、図５（ａ）の矢印ｂに示すようにひも状体３１を引っ張りながらフック３２を孔部３３に着脱自在に係止することにより、図５（ｂ）に示すように天幕６は屋根部の骨組上にしっかり装着される。この場合も、実施の形態１と同様に、分解回収作業のための下端余剰部３１ａが縦梁３から下方へ垂下している。したがって実施の形態３も、実施の形態１と同様の作用効果が得られる。
【産業上の利用可能性】
【００２１】
本発明によれば、テント装置を組み立てるときは、天幕を屋根部の骨組上に被せ、ひも状体を下梁の上部側面に沿わせて下梁に周回させ、ひも状体を手に保持して下梁に巻き付け、あるいは当てがうようにするなどして、係止部を被係止部に係止する。この場合、天幕は、ひも状体により斜下方へ引張されるが、この引張方向は天幕の下り勾配の斜面の斜設方向と一致しており、従来のテント装置の下側のひも状体８に相当するものは無いので、天幕の斜面の側縁部には従来のような窪みＭは生じず、天幕はその全体がストレートな外観の良い斜面となる。したがって降雨は天幕の斜面上をストレートに流下して排水され、前述のような窪みＭに貯留することはない。また天幕を張る場合、ひも状体により天幕を斜下方へ引張するが、下梁を支点として、斜下方への引張力を鉛直な下方向へ変えることにより力が入りやすく、女性のような非力な作業者も容易にテントを構築することができる。また下梁から垂下するひも状体の下端余剰部を手に保持して下方へ引くなどして操作すれば、天幕を下梁から容易に取りはずして分解回収することができる。したがって、学校の運動会場や各種のイベント会場等に構築されるテント装置としてきわめて使用勝手がよく、有用である。
【図面の簡単な説明】
【００２２】
【図１】本願発明の実施の形態１におけるテント装置の斜視図
【図２】本願発明の実施の形態１におけるテント装置の斜視図のＡ−Ａ断面斜視図
【図３】（ａ）（ｂ）本発明の実施の形態１における天幕の固定方法を示す縦梁付近の部分断面図
【図４】（ａ）（ｂ）本発明の実施の形態２における天幕の固定方法を示す縦梁付近の部分断面図
【図５】（ａ）（ｂ）本発明の実施の形態３における天幕の固定方法を示す縦梁付近の部分断面図
【図６】従来のテント装置の断面斜視図
【図７】（ａ）（ｂ）従来のテント装置の天幕の固定方法を示す縦梁付近の部分断面図
【符号の説明】
【００２３】
１  支柱
２  横梁（下梁）
３  縦梁（下梁）
４  頂上梁
５  斜梁
６  天幕
１１、２１、３１  ひも状体
１１ａ、２１ａ、３１ａ  下端余剰部
１２  面ファスナー（係止部）
１３  面ファスナー（被係止部）
２２  孔部（係止部）
２３  ビス（被係止部）
３２  フック（係止部）
３３  孔部（被係止部）
Ｍ  窪み
【要約】
【課題】組み立て時に天幕の下り勾配の斜面の側縁部に窪みが生じることのないテント装置を提供することを目的とする。
【解決手段】支柱１と、支柱１の上部に配設される横梁２、縦梁３、頂上梁４、斜梁５から成る屋根部の骨組と、屋根部上に被せられる天幕６とから成るテント装置において、下梁である縦梁３よりもやや上方位置の斜面の裏面にひも状体１１の上端部を取り付け、このひも状体１１を縦梁３の上部側面に沿って周回させ、ひも状体１１に設けられた係止部である面ファスナー１２を縦梁３に設けられた被係止部である面ファスナー１３に着脱自在に係止させる。そして係止状態におけるひも状体１１の下端余剰部１１ａを縦梁３から下方へ垂下させて縦梁３からの天幕６の取りはずし用保持部とした。したがって組み立て時に天幕６の斜面の側縁部に雨水が貯留する窪みＭが生じることはなく、また天幕６を容易に縦梁３から取りはずして回収することができる。
【選択図】図２【図１】
0004180648.tif 000002
【図２】
0004180648.tif 000003
【図３】
0004180648.tif 000004
【図４】
0004180648.tif 000005
【図５】
0004180648.tif 000006
【図６】
0004180648.tif 000007
【図７】
0004180648.tif 000008